(57)【要約】【課題】予約されたメンテナンス項目を予約通りに実施できるか否かを確認し、予約されたメンテナンス項目が予約通りに実施できないと判断したときに予約内容を変更する。【解決手段】検体の成分を測定する分析部と、分析部に対して分析予約、メンテナンス予約を入力するための入力部１０７と、入力部から入力される分析予約、メンテナンス予約を記憶する記憶部１０６と、分析部が分析予約、メンテナンス予約を実行するよう制御する処理部１０１と、分析予約、メンテナンス予約を表示する表示部１０８、３０８などを備え、処理部１０１は、分析予約、メンテナンス予約の予約時刻を比較し重複を抽出し、メンテナンス予約内容の変更を行う。【選択図】図１
2020128884.tif 000002
【特許請求の範囲】
【請求項１】
自動分析装置であって、
検体の成分を測定する分析部と、 
前記分析部に対して分析予約、メンテナンス予約を入力するための入力部と、
前記入力部から入力される前記分析予約、前記メンテナンス予約を記憶する記憶部と、
前記分析部が前記分析予約、前記メンテナンス予約を実行するよう制御する制御部と、を備え、
前記制御部は、前記分析予約、前記メンテナンス予約の予約時刻を比較し、前記予約時刻が重複する予約を抽出する、
ことを特徴とする自動分析装置。 
【請求項２】
請求項１記載の自動分析装置であって、
前記制御部が前記重複する予約を抽出したとき、前記重複する予約を変更するための操作画面を表示する表示部を更に備える、
ことを特徴とする自動分析装置。
【請求項３】
請求項１記載の自動分析装置であって、
前記制御部は、前記予約時刻が重複するメンテナンス予約を抽出する際、前記重複するメンテナンス予約が同時に実施できるメンテナンス項目の場合、前記重複する予約として抽出しない、
ことを特徴とする自動分析装置。
【請求項４】
請求項２記載の自動分析装置であって、
前記記憶部は、
前記メンテナンス予約のメンテナンス項目を記憶するメンテナンス項目情報テーブルを備え、
前記メンテナンス項目情報テーブルに、前記メンテナンス項目の重要度情報を含む、
ことを特徴とする自動分析装置。
【請求項５】
請求項４記載の自動分析装置であって、
前記制御部は、
前記予約時刻が重複する複数の前記メンテナンス予約の前記重要度情報を用いて、前記メンテナンス予約を変更する、
ことを特徴とする自動分析装置。
【請求項６】
請求項４記載の自動分析装置であって、
前記メンテナンス項目情報テーブルは、前記メンテナンス項目の標準間隔時間を含み、
前記制御部は、
前記標準間隔時間の間に、当該メンテナンス項目が複数予約された前記メンテナンス予約を抽出する、
ことを特徴とする自動分析装置。
【請求項７】
請求項６記載の自動分析装置であって、
前記制御部は、前記メンテナンス項目が複数予約された前記メンテナンス予約を抽出したとき、前記複数予約された前記メンテナンス予約を確認して変更する操作画面を前記表示部に表示する、
ことを特徴とする自動分析装置。
【請求項８】
請求項２に記載の自動分析装置であって、
前記制御部は、
新たな分析予約の予約時刻と、既に予約された前記メンテナンス予約の予約時刻が重複するものの有無を確認する、
ことを特徴とする自動分析装置。
【請求項９】
請求項７記載の自動分析装置であって、
前記制御部は、
前記予約時刻が重複するものを抽出したとき、前記新たな分析予約を変更することができる操作画面を前記表示部に表示する、
ことを特徴とする自動分析装置。
【請求項１０】
分析部で検体の成分を測定する自動分析装置の分析方法であって、
入力された分析予約、メンテナンス予約を記憶し、
前記分析部が前記分析予約、前記メンテナンス予約を実行するよう制御する際に、
前記分析予約、前記メンテナンス予約の予約時刻を比較し、前記予約時刻が重複する予約を抽出する、
ことを特徴とする分析方法。 
【請求項１１】
請求項１０記載の分析方法であって、
前記自動分析装置は、前記重複する予約を抽出したとき、前記重複する予約を変更するための操作画面を表示部に表示する、
ことを特徴とする分析方法。
【請求項１２】
請求項１１記載の分析方法であって、
前記予約時刻が重複するメンテナンス予約を抽出した際、前記重複するメンテナンス予約が同時に実施できるメンテナンス項目の場合、前記重複する予約としない、
ことを特徴とする分析方法。
【請求項１３】
請求項１１記載の分析方法であって、
前記自動分析装置は、
前記メンテナンス予約のメンテナンス項目の重要度情報を記憶し、
前記予約時刻が重複する複数の前記メンテナンス予約の前記重要度情報に従い、前記重複する予約を変更する、
ことを特徴とする分析方法。
【請求項１４】
請求項１２記載の分析方法であって、
前記自動分析装置は、
前記メンテナンス項目の標準間隔時間を記憶し、
前記標準間隔時間の間に、当該メンテナンス項目が複数予約された前記メンテナンス予約を抽出したとき、
前記複数予約された前記メンテナンス予約を確認して変更する操作画面を前記表示部に表示するよう制御する
ことを特徴とする分析方法。
【請求項１５】
請求項１２に記載の分析方法であって、
新たな分析予約の予約時刻と、既に予約された前記メンテナンス予約の予約時刻が重複するものの有無を確認し、
前記予約時刻が重複するものを抽出したとき、前記新たな分析予約を変更することができる操作画面を前記表示部に表示する、
ことを特徴とする分析方法。
【発明の詳細な説明】
【技術分野】
【０００１】
本発明は、自動分析装置、及び分析方法に係り、特にそのメンテナンス技術に関する。
【背景技術】
【０００２】
自動分析装置は、機能を正常な状態で維持するため、清掃や点検、消耗品の補充など、さまざまなメンテナンス項目が設定されている。そのため、自動分析装置を効率的に運用するには、メンテナンス項目を適時に、かつ確実に実行する必要がある。
【０００３】
このようなメンテナンス項目を適時に、かつ確実に実行する自動分析装置の一例として、特許文献１と特許文献２がある。特許文献１には、予め分析を開始するときに確認するメンテナンス項目を設定しておき、分析を開始するときに設定されたメンテナンス項目を確認し、実行する必要のあるメンテナンス項目を操作者に表示する自動分析装置が記載されている。特許文献２には、ユーザの勤務スケジュールを入力しておいて、メンテナンス項目を予約したときに、勤務スケジュールとメンテナンス項目の予約を合わせて操作者に表示する自動分析装置が記載されている。
【先行技術文献】
【特許文献】
【０００４】
【特許文献１】ＷＯ２０１５−１８２２５６号
【特許文献２】特開２０１４−０８５２７０号公報
【発明の概要】
【発明が解決しようとする課題】
【０００５】
種々の分析を行う自動分析装置では、メンテナンス項目を予約したとしても、予約時刻までにメンテナンス可能な状態にならない場合がある。例えば、メンテナンス項目を予約したあとに、メンテナンス項目の予約時刻と重複して、分析の予約が行なわれることがある。
【０００６】
特許文献１では、自動分析装置に予約したメンテナンス項目が実行できないときの対応に関する記載はなく、特許文献２においても、前工程の遅延等により予約を変更する必要性があるときの対応について考慮がなされていない。
【０００７】
本発明の目的は、上記の課題を解決し、状況に合わせて予約を適宜変更し、メンテナンス項目を適時に、確実に実行可能な自動分析装置、及びその分析方法を提供することにある。
【課題を解決するための手段】
【０００８】
上記課題を解決するために、自動分析装置であって、検体の成分を測定する分析部と、分析部に対して分析予約、メンテナンス予約を入力するための入力部と、入力部から入力される分析予約、メンテナンス予約を記憶する記憶部と、分析部が分析予約、メンテナンス予約を実行するよう制御する制御部と、分析予約、メンテナンス予約を表示する表示部と、を備え、制御部は、分析予約、メンテナンス予約の予約時刻を比較し重複を抽出する構成の自動分析装置を提供する。
【０００９】
また、上記の課題を解決するため、分析部で検体の成分を測定する自動分析装置の分析方法であって、入力された分析予約、メンテナンス予約を記憶し、分析部が分析予約、メンテナンス予約を実行するよう制御する際に、分析予約、メンテナンス予約の予約時刻を比較し、予約時刻が重複する予約を抽出する分析方法を提供する。
【発明の効果】
【００１０】
本発明によれば、予約されたメンテナンス項目を予約通りに実施することができる自動分析装置を提供できる。
【図面の簡単な説明】
【００１１】
【図１】実施例１の自動分析装置の全体構成図である。
【図２】実施例１の自動分析装置の機能ブロック図である。
【図３】実施例１のメンテナンス予約情報テーブルの一例を示す図である。
【図４】実施例１の分析予約情報テーブルの一例を示す図である。
【図５】実施例１のメンテナンス項目情報テーブルの一例を示す図である。
【図６】実施例１のメンテナンス予約画面の一例を示す図である。
【図７】実施例１のメンテナンス予約変更画面の一例を示す図である。
【図８】実施例１のメンテナンス間隔確認画面の一例を示す図である。
【図９】実施例１のメンテナンス予約通知画面の一例を示す図である。
【図１０】実施例１の自動分析装置にメンテナンスを新規予約する処理のフローチャートの一例を示す図である。
【図１１】実施例１の自動分析装置に予約されたメンテナンスへの対応の処理のフローチャートの一例を示す図である。
【図１２】実施例１の自動分析装置に予約されたメンテナンスへの対応の処理の続きのフローチャートの一例を示す図である。
【図１３】実施例１の自動分析装置に予約されたメンテナンスへの対応の処理の続きのフローチャートの一例を示す図である。
【図１４】実施例１の自動分析装置に予約されたメンテナンスへの対応の処理の続きのフローチャートの一例を示す図である。
【図１５】実施例２の自動分析装置の機能ブロック図である。
【図１６】実施例２の分析予約確認画面の一例を示す図である。
【図１７】実施例２の自動分析装置に予約された分析への対応の処理のフローチャートの一例を示す図である。
【発明を実施するための形態】
【００１２】
以下、本発明の自動分析装置の種々の実施の形態を図面に従い説明する。なお、本明細書の自動分析装置のメンテナンスには、機能を正常な状態で維持するため、機構部の汚れの清掃や液漏れの点検、試薬などの消耗品の補充等のメンテンナンス項目に加え、装置のスタンバイ状態で実行されるディスクチェック、例えば個々のファイル情報、ファイルの集計情報、バージョン情報等のメンテンナンス項目も含まれる。
【実施例１】
【００１３】
実施例１は、自動分析装置であって、検体の成分を測定する分析部と、分析部に対して分析予約、メンテナンス予約を入力するための入力部と、入力部から入力される分析予約、メンテナンス予約を記憶する記憶部と、分析部が分析予約、メンテナンス予約を実行するよう制御する制御部と、分析予約、メンテナンス予約を表示する表示部と、を備え、制御部は、分析予約、メンテナンス予約の予約時刻を比較し重複を抽出する構成の自動分析装置の実施例である。
【００１４】
また、分析部で検体の成分を測定する自動分析装置の分析方法であって、入力された分析予約、メンテナンス予約を記憶し、分析部が分析予約、メンテナンス予約を実行するよう制御する際に、分析予約、メンテナンス予約の予約時刻を比較し、予約時刻が重複する予約を抽出する分析方法の実施例である。
【００１５】
本実施例に係る自動分析装置を、図１から図１４を用いて説明する。
図１は、本実施例による自動分析装置の全体構成の一例を示す図である。自動分析装置１００は、処理部１０１と、バス１０２と、無線送信部１０３と、無線受信部１０４と、記憶部１０６と、入力部１０７と、表示部１０８と、機構制御部１１１と、機構部２００と、を有し、予約端末３００が付設される。
【００１６】
処理部１０１は記憶部１０６に格納されたプログラムを実行することで、各構成要素を制御し、様々な演算処理を行なうものであり、中央処理部（ＣＰＵ）で構成される。また、処理部１０１はバス１０２を介して、無線送信部１０３と、無線受信部１０４と、記憶部１０６と、機構制御部１１１と、に接続されている。処理部１０１〜機構制御部１１１は、予約端末３００を含め、自動分析装置の制御部を構成している。更に、表示部１０８は後で説明する予約端末３００の表示部３０８を含め、自動分析装置の表示部を構成している。
【００１７】
無線送信部１０３は、電波を使用して情報を送信する部分であり、処理部１０１から供給される情報を、予約端末３００に送信する。無線受信部１０４は、電波を使用して情報を受信する部分であり、処理部１０１へ供給する情報を、予約端末３００から受信する。
【００１８】
記憶部１０６は、プログラムやデータを永続的に記憶するために用いられるものであり、ハードディスクなどで構成される。また、記憶部１０６は、処理部１０１の制御により、処理部１０１から供給される情報、例えば、メンテナンス予約情報と分析予約情報を記録する。また、記憶部１０６は、処理部１０１の制御により、処理部１０１に対して、記録された情報を供給する。
【００１９】
入力部１０７は、操作者が情報を入力するもので、キーボードなどで構成される。また、入力部１０７は、処理部１０１の制御により、処理部１０１に対して、入力された情報を供給する。表示部１０８は、操作者に供給する情報を出力するもので、ディスプレイなどで構成される。また、表示部１０８は、処理部１０１の制御により、処理部１０１から供給される情報を表示する。機構制御部１１１は試料容器２０１内の検体の成分を分析するため機構部２００を制御する。付設される予約端末３００は、処理部３０１と、バス３０２と、無線送信部３０３と、無線受信部３０４と、記憶部３０６と、入力部３０７と、表示部３０８と、を有する。
【００２０】
予約端末３００の処理部３０１は、記憶部３０６に格納されたプログラムを実行することで、各構成要素を制御し、様々な演算処理を行なうものであり、処理部１０１同様ＣＰＵで構成される。また、処理部３０１は、バス３０２を介して、無線送信部３０３と、無線受信部３０４と、記憶部３０６と、入力部３０７と、表示部３０８と、に接続されている。
【００２１】
無線送信部３０３は、電波を使用して情報を送信する部分であり、処理部３０１から供給される情報を、自動分析装置１００に送信する。無線受信部３０４は、電波を使用して情報を受信する部分であり、処理部３０１へ供給する情報を、自動分析装置１００から受信する。
【００２２】
記憶部３０６は、プログラムやデータを永続的に記憶するために用いられるものであり、ハードディスクなどで構成される。また、記憶部３０６は、処理部３０１の制御により、処理部３０１から供給される情報を記録する。また、記憶部３０６は、処理部３０１の制御により、処理部３０１に対して、記録された情報を供給する。
【００２３】
入力部３０７は、操作者が情報を入力するもので、タッチパネルなどで構成される。また、入力部３０７は、処理部３０１の制御により、処理部３０１に対して、入力された情報を供給する。表示部３０８は、操作者に供給する情報を出力するもので、ディスプレイなどで構成される。また、表示部３０８は、処理部３０１の制御により、処理部３０１から供給される情報を表示する。
【００２４】
図２は、図１に示した本実施例の自動分析装置の機能ブロック図であり、機構部２００は図示されていない。
処理部１０１は、プログラム実行により実現される機能ブロックであるメンテナンス予約受付部５００と、メンテナンス予約監視部５０１と、複写情報送信部５０２と、を有する。
【００２５】
メンテナンス予約受付部５００は、無線受信部１０４を制御して、予約端末３００から、メンテナンス予約情報を受信する。さらに、受信したメンテナンス予約情報をメンテナンス予約情報テーブル５０３に記録する。
【００２６】
メンテナンス予約監視部５０１は、メンテナンス予約情報テーブル５０３と、分析予約情報テーブル５０４と、メンテナンス項目情報テーブル５０５から、周期的に情報を取得する。さらに、操作者にメンテナンスの予約通知を通知するため、無線送信部１０３を制御して、予約端末３００に対して、メンテナンス予約情報を送信する。また、操作者にメンテナンス予約の変更を依頼するため、無線送信部１０３を制御して、予約端末３００に対して、メンテナンス予約情報を送信する。また、操作者にメンテナンス予約の間隔の確認を依頼するため、無線送信部１０３を制御して、予約端末３００に対して、メンテナンス予約情報を送信する。
【００２７】
複写情報送信部５０２は、メンテナンス予約情報テーブル５０３と、分析予約情報テーブル５０４と、メンテナンス項目情報テーブル５０５から周期的に情報を取得する。また、無線送信部１０３を制御して、予約端末３００に対して、取得した情報を送信する。
【００２８】
記憶部１０６は、メンテナンス予約情報テーブル５０３と、分析予約情報テーブル５０４と、メンテナンス項目情報テーブル５０５と、を有する。
【００２９】
図３は、メンテナンス予約情報を記憶するメンテナンス予約情報テーブル５０３の一例である。メンテナンス予約情報テーブル５０３は、受付時刻情報と、通知先情報と、メンテナンス項目情報と、開始時刻情報と、終了時刻情報と、通知時刻情報と、メッセージ情報と、を有する。メンテナンス予約情報テーブル５０３が有する情報は、メンテナンス予約受付部５００によって記録される。このメンテナンス予約情報テーブル５０３には、他の情報として後で説明する予約の重要度情報などを追加して記録しても良い。
【００３０】
図４は、分析予約情報を記憶する分析予約情報テーブル５０４の一例である。分析予約情報テーブル５０４は、試料ＩＤ情報と、分析完了予定時刻情報と、を有する。分析予約情報テーブルが有する情報は、処理部１０１によって、自動分析装置１００に予約された分析予約情報と、分析予約情報の内容に応じた処理時間から、周期的に更新される。
【００３１】
図５は、メンテナンス項目情報テーブル５０５の一例である。メンテナンス項目情報テーブル５０５は、メンテナンス項目情報と、グループ情報と、標準作業時間情報と、標準間隔時間情報と、を有する。グループ情報は、同時に実施可能なメンテナンス項目を区別するための文字である。つまり、グループ情報が同じメンテナンス項目は、同時にメンテナンスを実施することが可能であることを意味している。このグループ情報は、予約時刻が重複するメンテナンス予約を抽出する際、重複するメンテナンス予約が同時に実施できるメンテナンス項目の場合、重複する予約として抽出しないようするために利用することができる。
【００３２】
標準作業時間情報は、メンテナンスの実施に要する時間の標準値である。標準間隔時間情報は、メンテナンスの実施の間隔の標準値である。このように、メンテナンス項目情報テーブルは、メンテナンス項目の標準間隔時間を含み、制御部は、標準間隔時間の間に、当該メンテナンス項目が複数予約されたメンテナンス予約を抽出し、複数予約されたメンテナンス予約を確認して変更する操作画面を表示部に表示することができる。
【００３３】
メンテナンス項目情報テーブル５０５が有する情報は、自動分析装置１００に設定されたメンテナンス項目毎に、あらかじめ記録されている。このメンテナンス項目情報テーブル５０５には、他の情報として、メンテナンス項目毎に予め設定した予約の重要度情報などを追加して記録しても良い。
【００３４】
図２の機能ブロック図に示すように、予約端末３００の処理部３０１は、メンテナンス新規予約部５１０と、メンテナンス予約変更部５１１と、複写情報受信部５１２と、を有する。
メンテナンス新規予約部５１０は、メンテナンス予約複写情報テーブル５１３と、分析予約複写情報テーブル５１４と、メンテナンス項目複写情報テーブル５１５から、情報を取得する。さらに、表示部３０８に図６に一例を示したメンテナンス予約画面を表示して、操作者からメンテナンス予約情報を取得する。また、無線送信部３０３を制御して、自動分析装置１００に対して、操作者から取得したメンテナンス予約情報を送信する。
【００３５】
メンテナンス予約変更部５１１は、メンテナンス予約複写情報テーブル５１３と、分析予約複写情報テーブル５１４と、メンテナンス項目複写情報テーブル５１５から、情報を取得する。さらに、無線受信部３０４を制御して、自動分析装置１００から、メンテナンス予約情報を受信する。受信したメンテナンス予約情報が予約通知のための情報である場合、表示部３０８に図９に一例を示したメンテナンス予約通知画面を表示する。受信したメンテナンス予約情報が予約を変更するための情報である場合、表示部３０８にメンテナンス予約変更画面（図７）を表示して、操作者から変更したメンテナンス予約情報を取得する。さらに、無線送信部３０３を制御して、自動分析装置１００に対して、操作者から取得したメンテナンス予約情報を送信する。受信したメンテナンス予約情報が間隔を確認するための情報である場合、表示部３０８にメンテナンス間隔確認画面（図８）を表示して、操作者から予約の確定、あるいは予約の取り消しの操作情報を取得する。さらに、無線送信部３０３を制御して、自動分析装置１００に対して、操作者から取得した操作情報とメンテナンス予約情報を送信する。
【００３６】
複写情報受信部５１２は、無線受信部３０４を制御して、自動分析装置１００から、周期的に情報を受信する。さらに、メンテナンス予約複写情報テーブル５１３と、分析予約複写情報テーブル５１４と、メンテナンス項目複写情報テーブル５１５に受信した情報を記録する。
【００３７】
図２に戻り、記憶部３０６は、メンテナンス予約複写情報テーブル５１３と、分析予約複写情報テーブル５１４と、メンテナンス項目複写情報テーブル５１５と、を有する。
メンテナンス予約複写情報テーブル５１３は、メンテナンス予約情報テーブル５０３と同じ情報を有する。メンテナンス予約複写情報テーブル５１３が有する情報は、複写情報受信部５１２によって記録される。
【００３８】
分析予約複写情報テーブル５１４は、分析予約情報テーブル５０４と同じ情報を有する。分析予約複写情報テーブル５１４が有する情報は、複写情報受信部５１２によって記録される。メンテナンス項目複写情報テーブル５１５は、メンテナンス項目情報テーブル５０５と同じ情報を有する。メンテナンス項目複写情報テーブル５１３が有する情報は、複写情報受信部５１２によって記録される。
【００３９】
次に、図６から図９までを参照して予約端末３００の表示部３０８に表示する各種の操作画面を説明する。
図６は、メンテナンス予約画面の例である。メンテナンス予約画面は、予約状況欄６０１と、予約登録欄６０２で構成される。予約状況欄６０１は、メンテナンス予約複写情報テーブル５１３と、分析予約複写情報テーブル５１４の情報を、時系列で確認できるように表示する欄である。予約登録欄６０２は、操作者が新しくメンテナンス予約情報を入力するための入力項目を表示する欄である。メンテナンス予約画面は、操作者が新しくメンテナンスを予約する際に使用する画面である。
【００４０】
図７は、メンテナンス予約変更画面の例である。メンテナンス予約変更画面は、予約状況欄７０１と、予約変更欄７０２で構成される。予約状況欄７０１は、メンテナンス予約画面の予約状況欄６０１と同じ内容を表示する欄である。予約変更欄７０２は、操作者がメンテナンス予約情報を変更、或いは取消するための入力項目を表示する欄である。メンテナンス予約変更画面は、操作者がメンテナンスの予約を変更、或いは取消する際に使用する画面である。
【００４１】
図８は、メンテナンス間隔確認画面の例である。メンテナンス間隔確認画面は、予約確認欄８０１と、予約状況欄８０２で構成される。予約確認欄８０１は、メンテナンス予約変更画面の予約変更欄７０２と同じ内容を表示する欄である。予約状況欄８０２は、予約確認欄８０１に表示されたメンテナンス予約に対して、標準間隔時間の間に予約されているメンテナンスの一覧を表示する欄である。メンテナンス間隔確認画面は、操作者がメンテナンスの予約を取り消す際に使用する画面である。
【００４２】
図９は、メンテナンス予約通知画面の例である。メンテナンス予約通知画面は、予約内容欄９０１で構成される。予約内容欄９０１は、予約通知するメンテナンス予約情報の内容を表示する欄である。メンテナンス予約通知画面は、操作者にメンテナンス予約情報の予約通知を通知する際に使用する画面である。
【００４３】
次に、図１０を参照して、本実施例の自動分析装置におけるメンテナンスの新規予約について説明する。図１０は、図２におけるメンテナンスの新規予約を行う際の予約端末側の処理フローチャートの一例である。
まず、ステップＳ１０００において、予約端末３００は、処理部３０１のメンテナンス新規予約部５１０の制御により、表示部３０８に図６に示したメンテナンス予約画面を表示する。操作者は、同図のメンテナンス予約画面の予約登録欄６０２に対して、メンテナンス予約情報を入力する。
【００４４】
次いで、ステップＳ１００１において、ステップＳ１０００で入力した内容でメンテンナンス予約を行うか否かを確認し、メンテナンス予約を行なう場合、操作者はメンテナンス予約画面の予約登録欄６０２の登録ボタンを押下して、ステップＳ１００２に移行する。ステップＳ１０００で入力した内容でメンテナンス予約を行なわない場合、操作者は予約登録欄６０２の取消ボタンを押下して、処理を終了する。
【００４５】
次いで、ステップＳ１００２において、予約端末３００は、メンテナンス新規予約部５１０の制御により、自動分析装置１００に対して、ステップＳ１０００で入力したメンテナンス予約情報を送信する。次いで、ステップＳ１００３において、自動分析装置１００は、メンテナンス予約受付部５００の制御により、ステップＳ１００２で送信したメンテナンス予約情報を受信して、メンテナンス予約情報テーブル５０３に記録して、処理を終了する。これにより、予約端末３００を使い、自動分析装置１００に対してメンテナンスを新規に予約することができる。
【００４６】
次に、図１１から図１４までを参照して、本実施例の自動分析装置本体の予約されたメンテナンスへの対応の流れについて説明する。図１１から図１４までは、図２における処理のフローチャート図の一例である。
まず、ステップＳ１１００において、自動分析装置１００の処理部１０１は、メンテナンス予約監視部５０１の制御により、メンテナンス予約情報テーブル５０３に記録されたメンテナンス予約情報において、時刻が重複するメンテナンス予約情報があるか否かを確認する。重複する情報がある場合、ステップＳ１１０１に移行する。重複する情報がない場合、図１２のステップＳ１２００に移行する。
【００４７】
次いで、ステップＳ１１０１において、自動分析装置本体は、メンテナンス予約監視部５０１の制御により、メンテナンス予約情報テーブル５０３から、時刻が重複する情報のうち受付日が新しいメンテナンス予約情報を、予約端末３００に送信する。予約端末３００は、処理部３０１のメンテナンス予約変更部５１１の制御により、その表示部３０８に図７に一例を示したメンテナンス予約変更画面を表示する。そして、その予約変更欄７０２に、自動分析装置１００から受信したメンテナンス予約情報を表示する。操作者は、メンテナンス予約変更画面の予約変更欄７０２に対して、メンテナンス予約情報を変更するようにして入力する。
【００４８】
次いで、ステップＳ１１０２において、操作者はメンテナンス予約を変更するか否かを判断する。ステップＳ１１０１で入力した内容でメンテナンス予約を変更する場合、操作者は、予約端末３００の表示部３０８に表示されたメンテナンス予約変更画面の変更ボタンを押下して、ステップＳ１１０３に移行する。ステップＳ１１０１で入力した内容でメンテナンス予約の変更を行なわない場合、操作者はメンテナンス予約変更画面の取消ボタンを押下して、ステップＳ１１０４に移行する。
【００４９】
次いで、ステップＳ１１０３において、予約端末３００は、メンテナンス予約変更部５１０の制御により、自動分析装置１００に対して、ステップＳ１１０１で入力したメンテナンス予約情報を送信する。自動分析装置１００は、メンテナンス予約受付部５００の制御により、予約端末３００からメンテナンス予約情報を受信して、ステップＳ１１０１で送信したメンテナンス予約情報に上書きするようにメンテナンス予約情報テーブル５０３に記録して、処理を終了する。
【００５０】
一方、ステップＳ１１０４において、予約端末３００は、メンテナンス予約変更部５１０の制御により、自動分析装置１００に対してステップＳ１１０１で入力したメンテナンス予約情報を送信する。自動分析装置１００は、メンテナンス予約受付部５００の制御により、予約端末３００からメンテナンス予約情報を受信して、ステップＳ１１０１で送信したメンテナンス予約情報を削除するようにメンテナンス予約情報テーブル５０３を更新して、処理を終了する。
【００５１】
なお、図１１の処理フローのステップＳ１１０２において、メンテナンス予約を変更するか否かの判別を操作者が行ったが、予約端末３００は、メンテナンス予約を変更するか否かを操作者に判断させる代わりに、重複するメンテナンス予約の後発分を自動削除するよう構成することもできる。また、予約重複時にメンテナンス予約を変更するが否かを自動判別することも可能である。この場合、例えば先に述べた予約の重要度情報を利用する。
【００５２】
すなわち、制御部は、予約時刻が重複する複数のメンテナンス予約の重要度情報を用いて、メンテナンス予約を変更することができる。例えば、図３に一例を示したメンテナンス予約情報テーブル５０３や、図５に一例を示したメンテナンス項目情報テーブル５０５に予め設定して記録した予約の重要度情報を用いて自動判別することができる。予約時においては、予約毎にメンテンナンス予約情報テーブル５０３に予約の重要度情報を記録する。予約の重要度情報は、図示を省略するが、例えば“１〜１０”の数字を用いる。分析予約の重要度を“５”としておき、予約が重複したときは、数字が大きい予約が優先されて数字が小さい予約は取り消され、もし数字が同じであれは受付時刻が早いものが優先するように、ＣＰＵでプログラムを実行することで自動判別することが可能となる。
【００５３】
このように、本実施例によれば、記憶部に，メンテナンス予約のメンテナンス項目を記憶するメンテナンス項目情報テーブルを備え、メンテナンス項目情報テーブルに、メンテナンス項目の重要度情報を記録し、制御部は、予約時刻が重複する複数のメンテナンス予約の重要度情報を用いて、メンテナンス予約を変更することが可能となる。
【００５４】
次いで、図１２のステップＳ１２００において、自動分析装置１００は、メンテナンス予約監視部５０１の制御により、メンテナンス予約情報テーブル５０３に記録されたメンテナンス予約情報において、同一のメンテナンス項目をもつ情報が、メンテナンス項目情報テーブル５０５に記録された当該メンテナンス項目の標準間隔時間の間に、複数個存在するかを確認する。複数個存在する場合、ステップＳ１２０１に移行する。複数個存在しない場合、図１３のステップＳ１３００に移行する。
【００５５】
次いで、ステップＳ１２０１において、自動分析装置１００は、メンテナンス予約監視部５０１の制御により、メンテナンス予約情報テーブル５０３から、所定の範囲時刻内に複数個存在する情報のうち受付日が新しいメンテナンス予約情報を、予約端末３００に送信する。予約端末３００は、メンテナンス予約変更部５１１の制御により、表示部３０８に図８に示したメンテナンス間隔確認画面を表示する。同図のメンテナンス間隔確認画面の予約確認欄８０１に、自動分析装置１００から受信したメンテナンス予約情報を表示する。操作者は、メンテナンス間隔確認画面の予約確認欄８０１と予約状況欄８０２の内容を確認して、予約の登録、あるいは取り消しを判断する。
【００５６】
次いで、ステップＳ１２０２において、ステップＳ１２０１で確認した内容でメンテナンス予約を登録する場合、操作者はメンテナンス間隔確認画面の登録ボタンを押下して、ステップＳ１２０３に移行する。ステップＳ１２０１で確認した内容のメンテナンス予約を取り消す場合、操作者はメンテナンス間隔確認画面の取消ボタンを押下して、ステップＳ１２０４に移行する。
【００５７】
次いで、ステップＳ１２０３において、予約端末３００は、メンテナンス予約変更部５１０の制御により、自動分析装置１００に対して、ステップＳ１２０１で確認したメンテナンス予約情報を送信する。自動分析装置１００は、メンテナンス予約受付部５００の制御により、予約端末３００から、メンテナンス予約情報を受信して、ステップＳ１２０１で送信したメンテナンス予約情報に上書きするようにメンテナンス予約情報テーブル５０３に記録して、処理を終了する。
【００５８】
次いで、ステップＳ１２０４において、予約端末３００は、メンテナンス予約変更部５１０の制御により、自動分析装置１００に対して、ステップＳ１２０１で入力したメンテナンス予約情報を送信する。自動分析装置１００は、メンテナンス予約受付部５００の制御により、予約端末３００から、メンテナンス予約情報を受信して、ステップＳ１２０１で送信したメンテナンス予約情報を削除するようにメンテナンス予約情報テーブル５０３を更新して、処理を終了する。
【００５９】
次いで、図１３のステップＳ１３００において、自動分析装置１００の処理部１０１は、メンテナンス予約と分析予約の予約時刻を比較して重複を抽出するため、メンテナンス予約監視部５０１の制御により、メンテナンス予約情報テーブル５０３に記録されたメンテナンス予約情報と、分析予約情報テーブル５０４に記録された分析予約情報との間において、時刻が重複する情報があるかないかを確認する。重複する情報がある場合、ステップＳ１３０１に移行する。重複する情報がない場合、図１４のステップＳ１４００に移行する。
【００６０】
次いで、ステップＳ１３０１において、自動分析装置１００は、メンテナンス予約監視部５０１の制御により、メンテナンス予約情報テーブル５０３から、分析予約情報と重複するメンテナンス予約情報を、予約端末３００に送信する。予約端末３００は、メンテナンス予約変更部５１１の制御により、その表示部３０８に図７に示したメンテナンス予約変更画面を表示する。同図のメンテナンス予約変更画面の予約変更欄７０２に、自動分析装置１００から受信したメンテナンス予約情報を表示する。操作者は、メンテナンス予約変更画面の予約変更欄７０２に対して、メンテナンス予約情報を変更するようにして入力する。
【００６１】
次いで、ステップＳ１３０２において、ステップＳ１３０１で入力した内容でメンテナンス予約を変更する場合、操作者はメンテナンス予約変更画面の登録ボタンを押下して、ステップＳ１３０３に移行する。ステップＳ１３０１で入力した内容でメンテナンス予約の変更を行なわない場合、操作者はメンテナンス予約変更画面の取消ボタンを押下して、ステップＳ１３０４に移行する。
【００６２】
次いで、ステップＳ１３０３において、予約端末３００は、メンテナンス予約変更部５１０の制御により、自動分析装置１００に対して、ステップＳ１３０１で入力したメンテナンス予約情報を送信する。自動分析装置１００は、メンテナンス予約受付部５００の制御により、予約端末３００からメンテナンス予約情報を受信して、ステップＳ１３０１で送信したメンテナンス予約情報に上書きするようにメンテナンス予約情報テーブル５０３に記録して、処理を終了する。
【００６３】
次いで、ステップＳ１３０４において、予約端末３００はメンテナンス予約変更部５１０の制御により、自動分析装置１００に対して、ステップＳ１３０１で入力したメンテナンス予約情報を送信する。自動分析装置１００は、メンテナンス予約受付部５００の制御により、予約端末３００から、メンテナンス予約情報を受信して、ステップＳ１３０１で送信したメンテナンス予約情報を削除するようにメンテナンス予約情報テーブル５０３を更新して、処理を終了する。
【００６４】
次いで、図１４のステップＳ１４００において、予約通知を行うメンテナンス予約があるかを確認するため、自動分析装置１００はメンテナンス予約監視部５０１の制御により、メンテナンス予約情報テーブル５０３に記録されたメンテナンス予約情報において、現在時刻が通知時刻と合致する情報がないか否かを確認する。合致する情報がある場合、ステップＳ１４０１に移行する。合致する情報がない場合、処理を終了する。
【００６５】
次いで、ステップＳ１４０１において、自動分析装置１００は、メンテナンス予約監視部５０１の制御により、メンテナンス予約情報テーブル５０３から、現在時刻と通知時刻が合致するメンテナンス予約情報を、予約端末３００に送信する。予約端末３００は、メンテナンス予約変更部５１１の制御により、表示部３０８に図９に示したメンテナンス通知画面を表示して、処理を終了する。図９のメンテナンス予約通知画面の予約内容欄９０１に、自動分析装置１００から受信したメンテナンス予約情報を表示する。
【００６６】
以上詳述した本実施例によれば、自動分析装置１００に予約されたメンテナンスは、他のメンテナンスや分析の予約と重複し続けることはなく、メンテナンスを予約した時刻において、確実にメンテナンスを実行することが出来る。
【実施例２】
【００６７】
実施例２は、新たな分析予約がなされる場合、予約時刻が重複するメンテナンス予約が既になされているか否かを確認し、重複するメンテナンス予約がある場合、分析予約確認画面を表示し操作者に新たな分析予約の登録を行うか否かを判断させる自動分析装置の実施例である。すなわち、制御部が、新たな分析予約の予約時刻と、既に予約されたメンテナンス予約の予約時刻が重複するものの有無を確認する構成の自動分析装置の実施例である。
【００６８】
本実施例の自動分析装置を、図１５から図１７を用いて説明する。図１から図１４までと同じ構成には同一の符号を示し、説明は省略する。
【００６９】
図１５は、本実施例による自動分析装置の機能ブロック図である。処理部１０１は、分析予約監視部５０６を有する。分析予約監視部５０６は、記憶部１０６のメンテナンス予約情報テーブル５０３と、分析予約情報テーブル５０４から周期的に情報を取得する。更に、操作者に分析予約の確認を依頼するため、分析予約確認画面を表示部１０８に表示して、操作者から新たな分析予約の確定、あるいは分析予約の取り消しの操作情報を取得する。操作情報が分析予約を確定する情報である場合、分析予約監視部５０６は何も行なわない。操作情報が分析予約を取り消す情報である場合、分析予約監視部５０６は、当該分析予約を取り消すよう指示する。
【００７０】
自動分析装置１００の表示部１０８に表示する分析予約確認画面を説明する。図１６は分析予約確認画面の一例であり、操作者が分析の予約を取り消すか否かを判断するために使用する。この分析予約確認画面は予約内容欄１６０１と、記録されたメンテナンス予約情報を表示するメンテナンス予約状況欄１６０２で構成される。予約内容欄１６０１は、分析予約情報テーブル５０４に記録された分析予約情報のうち、メンテナンス予約情報テーブル５０３に記録されたメンテナンス予約情報と時刻が重複するものを確認できるように表示する欄である。
【００７１】
次に、図１７を参照して、本実施例における分析を新規予約するときの流れについて説明する。図１７は、図１６を使った処理のフローチャート図の一例である。
【００７２】
まず、ステップＳ１７００において、自動分析装置１００は、分析予約監視部５０６の制御により、分析予約情報テーブル５０３に記録された分析予約情報に、新たな分析予約があるか否かを確認する。新たな分析予約がある場合、ステップＳ１７０１に移行する。新たな分析予約がない場合、処理を終了する。
【００７３】
ステップＳ１７０１において、自動分析装置１００は分析予約監視部５０６の制御により、ステップＳ１７００で確認した新たな分析予約情報と、メンテナンス予約情報テーブル５０３に記録されたメンテナンス予約情報と比較し、時刻が重複する情報がないか否かを確認する。重複する情報がある場合、ステップＳ１７０２に移行する。重複する情報がない場合、処理を終了する。
【００７４】
ステップＳ１７０２において、分析予約監視部５０６の制御により、表示部１０８に分析予約確認画面を表示する。分析予約確認画面の予約内容欄１６０１に、ステップＳ１７０１で重複するとした分析予約情報を表示する。また、予約状況欄１６０２に、予約内容欄１６０１に表示した分析予約情報と時刻が重複するメンテナンス予約情報を表示する。操作者は、分析予約確認画面の予約確認欄１６０１と予約状況欄１６０２の内容を確認して、予約の登録、あるいは取り消しを判断する。
【００７５】
次いで、ステップＳ１７０３において、ステップＳ１７０２で確認した内容で分析予約をそのまま登録する場合、操作者は分析予約確認画面の登録ボタンを押下して、ステップＳ１７０４に移行する。ステップＳ１７０２で確認した内容の分析予約を取り消す場合、操作者は分析予約確認画面の取消ボタンを押下して、ステップＳ１７０５に移行する。
【００７６】
次いで、ステップＳ１７０４において、自動分析装置１００は、分析予約情報に対して何も行なわず、分析予約を登録したまま処理を終了する。この場合、実施例１に挙げた処理により、メンテナンス予約情報の変更が行なわれる。次いで、ステップＳ１７０５において、自動分析装置１００は、分析予約監視部５０６の制御により、ステップＳ１７０２で確認した分析予約情報に対応する分析予約を取り消す。
【００７７】
以上説明した実施例２の構成により、既にメンテナンスが予約されている自動分析装置１００に対して、新たに分析が予約されたとき、メンテナンスと分析の予約が重複することはなく、メンテナンスを予約した時刻において確実にそのメンテナンスを実行することが出来る。
【００７８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００７９】
１００  自動分析装置
１０１、３０１  処理部
１０２，３０２  バス
１０３、３０３  無線送信部
１０４、３０４  無線受信部
１０６、３０６  記憶部
１０７、３０７  入力部
１０８、３０８  表示部
１１１  機構制御部
２００  機構部
２０１  試料容器
３００  予約端末
５００  メンテナンス予約受付部
５０１  メンテナンス予約監視部
５０２  複写情報送信部
５０３  メンテナンス予約情報テーブル
５０４  分析予約情報テーブル
５０５  メンテナンス項目情報テーブル
５０６  分析予約監視部
５１０  メンテナンス新規予約部
５１１  メンテナンス予約変更部
５１２  複写情報受信部
５１３  メンテナンス予約複写情報テーブル
５１４  分析予約複写情報テーブル
５１５  メンテナンス項目複写情報テーブル
【図１】
2020128884.tif 000003
【図２】
2020128884.tif 000004
【図３】
2020128884.tif 000005
【図４】
2020128884.tif 000006
【図５】
2020128884.tif 000007
【図６】
2020128884.tif 000008
【図７】
2020128884.tif 000009
【図８】
2020128884.tif 000010
【図９】
2020128884.tif 000011
【図１０】
2020128884.tif 000012
【図１１】
2020128884.tif 000013
【図１２】
2020128884.tif 000014
【図１３】
2020128884.tif 000015
【図１４】
2020128884.tif 000016
【図１５】
2020128884.tif 000017
【図１６】
2020128884.tif 000018
【図１７】
2020128884.tif 000019